(57)【特許請求の範囲】
【請求項１】
帽体と、線条部材の一端側に衣類の衿に挟み付けて係止するクリップからなる係止具を装着した飛脱防止具と、帽体の内部に設けた保持部材とを備え、
飛脱防止具は、線条部材の他端側が、帽体の内部に設けた挿通部を挿通して帽体の内部に一体的に取り付き、当該挿通部から線条部材を伸ばして係止具を衣類の衿に係止したり、帽体の内部に手繰り寄せて線条部材を帽体の内部に収納可能であると共に、
保持部材は、飛脱防止具の不使用時に帽体の内部に手繰り寄せた前記線条部材を帽体内部で保持することを特徴とする帽子。
【請求項２】
飛脱防止具は、線条部材の他端側が帽体内部に止着されていることを特徴とする請求項１記載の帽子。
【請求項３】
飛脱防止具は、線条部材の他端側に、挿通部に対する抜止部が設けられていることを特徴とする請求項１記載の帽子。
【請求項４】
挿通部は、帽体成形用の布地の縫い合わせ目に沿って縫着されたフセテープ上に設けられていることを特徴とする請求項１乃至請求項３のいずれか１項に記載の帽子。
【請求項５】
保持部材は、帽体内部に取り付けられた面ファスナーであることを特徴とする請求項１記載の帽子。
【発明の詳細な説明】
【０００１】
【発明の属する技術分野】
本発明は釣り等に使用される帽子に係り、詳しくは強い風に飛ばされることのない帽子に関する。
【０００２】
【従来の技術】
日差しを避け、又、頭部を保護するため、従来、帽子（キャップ）が釣人に使用されているが、風の強い岩場等で釣りをするとき、風で帽子が飛ばされることがないように、キャップストラップと称する商品が広く使用されている。
このキャップストラップは、軟質樹脂や織布からなる短尺な帯状のバンドの両端にクリップ（係止具）を取り付けたもので、一方のクリップを帽子の後ろ側に挟み付け、他方のクリップを衣類の襟に挟み付けて使用するようになっている。
【０００３】
又、特開平９−１８８９１４号公報には、図８乃至図１０に示すような帽子の飛脱防止具が提案されている。
この飛脱防止具１は、帽子係止部３とブローチ状の衣類係止部５、そして、両係止部３，５間に着脱自在に連結された鎖状の連結部材７とで構成されており、帽子係止部３は、図１０に示すようにピン孔３ａからピン３ｂを外すと上下に分かれるようになっている。
【０００４】
而して、この飛脱防止具１は、図１０に示すように帽子係止部３を帽子９のつば９ａに係止し、そして、衣類係止部５を衣類１１の衿１１ａに係止して使用するもので、両係止部３，５間に連結部材７が連結されているため、帽子９が風で脱げても飛んで行ってしまうことがない。
【０００５】
【発明が解決しようとする課題】
然し、上述したキャップストラップや飛脱防止具は、帽子と別体構造であるため、不使用時に紛失したり釣り場に携行するのを忘れてしまう等の不具合があった。
【０００６】
又、常時、キャップストラップや飛脱防止具を帽子に取り付けていれば、斯かる不具合は解消できるものの、不使用時にこれらが帽子から垂れ下がっていると、煩わしく邪魔になっている。
本発明は斯かる実情に鑑み案出されたもので、帽子が風で飛ばされることがなく、又、飛脱防止具を紛失したり、飛脱防止具の不使用時に当該飛脱防止具が邪魔にならずファッション性に優れた帽子を提供することを目的とする。
【０００７】
【課題を解決するための手段】
斯かる目的を達成するため、請求項１に係る帽子は、帽体と、線条部材の一端側に衣類の衿に挟み付けて係止するクリップからなる係止具を装着した飛脱防止具と、帽体の内部に設けた保持部材とを備え、飛脱防止具は、線条部材の他端側が、帽体の内部に設けた挿通部を挿通して帽体の内部に一体的に取り付き、当該挿通部から線条部材を伸ばして係止具を衣類の衿に係止したり、帽体の内部に手繰り寄せて線条部材を帽体の内部に収納可能であると共に、保持部材は、飛脱防止具の不使用時に帽体の内部に手繰り寄せた前記線条部材を帽体内部で保持することを特徴とする。
【０００８】
そして、請求項２に係る発明は、請求項１記載の帽子に於て、飛脱防止具は、線条部材の他端側が帽体内部に止着されていることを特徴とし、請求項３に係る発明は、請求項１記載の帽子に於て、飛脱防止具は、線条部材の他端側に、挿通部に対する抜止部が設けられていることを特徴とする。
又、請求項４に係る発明は、請求項１乃至請求項３のいずれか１項に記載の帽子に於て、挿通部が、帽体成形用の布地の縫い合わせ目に沿って縫着されたフセテープ上に設けられていることを特徴とする。
【０００９】
更に又、請求項５に係る発明は、請求項１に記載の帽子に於て、保持部材が、帽体内部に取り付けられた面ファスナーであることを特徴とする。
【００１０】
（作用）
各請求項に係る発明によれば、風の強い岩場等で釣りをするとき、帽子に一体的に取り付く線条部材を挿通部から伸ばして係止具を衣類の衿に係止しておけば、風で帽子が脱げても線条部材によって飛ばされることがない。
又、飛脱防止具の不使用時には、挿通部を介して線条部材を帽体内に手繰り寄せて帽体内部に収納しておけばよく、手繰り寄せた線条部材は保持部材によって帽子の内部で保持される。
【００１１】
【発明の実施の形態】
以下、本発明の実施形態を図面に基づき詳細に説明する。
図１乃至図４は請求項１，請求項２及び請求項４，請求項５に係る帽子の一実施形態を示し、図１に於て、１３は略三角形状に裁断した６枚の布地１５を縫着して成形された帽体で、従来と同様、帽体１３の前方下縁部にひさし１７が取り付けられ、そして、サイズ調整用のアジャスター１９が帽体１３の後方下縁部に取り付けられている。
【００１２】
又、図２に示すように帽体１３の内部には、布地１５の縫い合わせ目２１に沿って３本のフセテープ２３が、帽体１３の中央部に装着した天釦２５を通って帽体１３の前後方向と左右の側面方向に縫着されており、従来と同様、これらのフセテープ２３によって帽体１３の形状保持が図られている。
そして、図２乃至図４に示すように天釦２５から帽体１３の後方（アジャスター１９方向）に向かって縫着されたフセテープ２３上に、当該フセテープ２３と同一の素材を断面楕円形の筒状に縫着した挿通部２７が縫着されており、当該挿通部２７に飛脱防止具２９の紐（線条部材）３１が挿通している。
【００１３】
飛脱防止具２９は、天釦２５に一端側が止着された布製の紐３１と、当該紐３１の他端側に装着されたクリップ（係止具）３３とからなり、図１に示すように紐３１は、これを挿通部２７から伸ばすことで衣類の衿３５にクリップ３３が挟み付けられる長さになっている。
そして、図１及び図４に示すように飛脱防止具２９の不使用時には、クリップ３３をアジャスター１９に挟み付けて、挿通部２７から帽体１３内に手繰り寄せた紐３１を、帽体１３内部に取り付けた面ファスナー（保持部材）３５で保持することができるようになっている。
【００１４】
本実施形態に係る帽子３７はこのように構成されているから、風の強い岩場等で釣りをするとき、図１に示すように紐３１を挿通部２７から伸ばしてクリップ３３を衣類の衿３５に挟み付けておけば、風で帽子３７が脱げても、紐３１によって飛ばされることが防げる。
そして、飛脱防止具２９の不使用時には、図１又は図４に示すようにクリップ３３をアジャスター１９に挟み付けて、挿通部２７から帽体１３内に手繰り寄せた紐３１を面ファスナー３５で保持しておけばよい。
【００１５】
従って、本実施形態によれば、風で帽子３７が脱げても、飛脱防止具２９によって帽子３７が飛ばされることがないし、飛脱防止具２９の不使用時には、図１又は図４に示すようにクリップ３３をアジャスター１９に挟み付け、そして、帽体１３内に紐３１を手繰り寄せて面ファスナー３５で保持しておくことができるので、紐３１やクリップ３３が邪魔になることがなくファッション性に優れ、又、飛脱防止具２９が天釦２５と挿通部２７を介して帽体１３に一体的に取り付けられているため、飛脱防止具２９を紛失したり釣り場に携行し忘れることもない。
【００１６】
更に又、本実施形態によれば、従来の帽子に容易に適用することができると共に、従来周知のキャップストラップに比しクリップが一つで済むため、コストを安く抑えることも可能である。
図５乃至図７は挿通部の他の実施形態を示し、図５に示す実施形態は、フセテープ２３上に、複数本の紐３９を紐３１と直交するように並列させて飛脱防止具２９の挿通部４１としたものであり、図６は細紐４３-1を編み込んだネット４３をフセテープ２３上に取り付けて、飛脱防止具２９の挿通部４５としたものである。
【００１７】
そして、図７に示す実施形態は、軟質樹脂で成形した扁平なパイプ４７をフセテープ２３上に縫着して、これを飛脱防止具２９の挿通部４９としたもので、いずれの実施形態も、その他の構成は上記実施形態と同様であるので、それらの説明は省略する。
而して、これらの実施形態によっても、上記実施形態と同様、所期の目的を達成することが可能である。
【００１８】
尚、図１に示す実施形態では、飛脱防止具２９の紐３１の一端側を天釦２５に止着させたが、天釦２５に止着させず、図示しない請求項１，請求項３乃至請求項５に係る帽子の一実施形態の如く前記紐３１の一端側に、挿通部２７を挿通不能な大きさの結び目（抜止部）を作って、飛脱防止具を帽体に一体的に取り付けてもよい。
【００１９】
【発明の効果】
以上述べたように、各請求項に係る発明によれば、風で帽子が脱げても、飛脱防止具によって帽子が飛ばされることがないし、飛脱防止具の不使用時には、帽体内に線条部材を手繰り寄せてこれを保持部材で保持しておくことができるので、線条部材の収納，保持が確実となって線条部材や係止具が邪魔になることがなくファッション性に優れ、又、飛脱防止具が挿通部を介して帽体に一体的に取り付けられているため、飛脱防止具を紛失したり釣り場に携行し忘れることもない。
【００２０】
更に又、従来の帽子に容易に適用することができると共に、従来周知のキャップストラップに比しクリップが一つで済むため、コストを安く抑えることも可能である。
【図面の簡単な説明】
【図１】請求項１，請求項２及び請求項４，請求項５の一実施形態に係る帽子の後方斜視図である。
【図２】図１に示す帽子の底面図である。
【図３】図１に示す帽子の要部切欠き側面図である。
【図４】図１に示す帽子の底面図である。
【図５】挿通部の変形例の説明図である。
【図６】挿通部の他の変形例の説明図である。
【図７】挿通部の更に他の変形例の説明図である。
【図８】従来の飛脱防止具の斜視図である。
【図９】図８に示す飛脱防止具の一部拡大斜視図である。
【図１０】図８に示す飛脱防止具の使用方法の説明図である。
【符号の説明】
１３  帽体
１５  布地
２３  フセテープ
２７，４１，４５，４９  挿通部
２９  飛脱防止具
３１  紐
３３  クリップ
３５  面ファスナー
３７  帽子
【図１】
0003693219.tif 000002
【図２】
0003693219.tif 000003
【図３】
0003693219.tif 000004
【図４】
0003693219.tif 000005
【図５】
0003693219.tif 000006
【図６】
0003693219.tif 000007
【図７】
0003693219.tif 000008
【図８】
0003693219.tif 000009
【図９】
0003693219.tif 000010
【図１０】
0003693219.tif 000011